(57)【要約】【課題】  高さが低い、記録紙スタッカを有する画像記録装置を提供する。【解決手段】  上カバー２と記録紙スタッカ１は、別個の部材として構成される。上カバーの上面と記録紙スタッカの上面は、記録紙の搬送方向に隣接して略同一水平面に配設される。記録紙スタッカは原稿セット台３に取り付けられ、原稿セット台は画像記録装置の本体６に起立する位置まで回転可能に取り付けられる。上カバーにおける記録紙スタッカに隣接する側に取っ手２ａが設けられ、取っ手に対応して記録紙スタッカにおける上カバーに隣接する側に凹部１ｂが設けられる。したがって、作業者の手指は、取っ手を簡易に把握して上カバーを開閉することができる。【選択図】    図１
2008172654.tif 000002
【特許請求の範囲】
【請求項１】
上カバーと記録紙スタッカは、別個の部材として構成され、
前記上カバーの上面と前記記録紙スタッカの上面は、記録紙の搬送方向に隣接して略同一水平面に配設されることを特徴とする記録紙スタッカを有する画像記録装置。
【請求項２】
前記記録紙スタッカは原稿セット台に取り付けられ、前記原稿セット台は前記画像記録装置の本体に起立する位置まで回転可能に取り付けられることを特徴とする請求項１記載の記録紙スタッカを有する画像記録装置。
【請求項３】
前記記録紙スタッカの上面が前記上カバーの上面に交差する方向まで起立することができるように、前記記録紙スタッカは前記原稿セット台に回転可能に取り付けられることを特徴とする請求項２記載の記録紙スタッカを有する画像記録装置。
【請求項４】
前記上カバーにおける前記記録紙スタッカに隣接する側に取っ手が設けられ、前記取っ手に対応して前記記録紙スタッカにおける前記上カバーに隣接する側に凹部が設けられることを特徴とする請求項１記載の記録紙スタッカを有する画像記録装置。
【請求項５】
前記記録紙スタッカの内側に斜面部が形成され、原稿が原稿自動給紙部内に挿入されるとき、前記斜面部が前記原稿をガイドすることを特徴とする請求項１記載の記録紙スタッカを有する画像記録装置。
【請求項６】
前記記録紙スタッカが原稿セット台の上に配設され、前記記録紙スタッカの少なくとも一部は透明であることを特徴とする請求項１記載の記録紙スタッカを有する画像記録装置。
【発明の詳細な説明】
【技術分野】
【０００１】
本発明は、複写機又はファクシミリ装置等の画像記録装置に関し、特に記録紙を積載するスタッカに関する。
【背景技術】
【０００２】
第１の従来の技術として、卓上ファクシミリ装置について本出願前に頒布された刊行物を引用して説明する（例えば、特許文献１参照。）。
【０００３】
卓上ファクシミリ装置の構造の概要を図５を参照して説明する。
【０００４】
卓上ファクシミリ装置は、送信機構部４１と受信機構部４２とを備える。送信機構部４１は、ローラ２３、パッド２４、イメージセンサ２５、読み取り部ローラ２６及び排出ローラ２７を備える。受信機構部４２は、感熱記録紙ロール２８、サーマルヘッド２９、記録部ローラ３０、カッタ３１及び排出ローラ３２とを備える。
【０００５】
送信時には、送信機構部４１が作動する。原稿台４３上から供給される原稿は、ローラ２３とパッド２４によって１枚に分離されて送られ、イメージセンサ２５によって原稿の情報が読み取られる。この読み取り結果は、信号として相手側に送信される。その後、原稿は、排出ローラ２７によって原稿スタッカ４４上に排出される。
【０００６】
受信時には、受信機構部４２が作動する。感熱記録紙ロール２８から繰り出された記録紙には、相手側の信号に応じて作動するサーマルヘッド２９によって書き込みが行われる。ここを通過した記録紙は、カッタ３１によって所定長に切断され、排出ローラ３２によって記録紙スタッカ４５上に排出される。この際、記録紙押え板４８によって上方に飛び出さないようにガイドされる。
【０００７】
原稿台４３、原稿スタッカ４４及び記録紙スタッカ４５は、卓上ファクシミリ装置の上部に、同装置の投影面積からはみ出さないように、かつ、前後方向（図５の左右方向）に傾斜状態に重ね合わされて配置されている。重ね合わせの順序は図示のとおりで、それぞれの突出長は後（右側）に行く程長い。
【０００８】
排出された記録紙が記録スタッカ４５よりも長い場合は、次の原稿台４３がスタッカとなり、更に、原稿スタッカ４４がスタッカとなる。
【０００９】
前記各動作時の各部材の駆動及び制御は、動力部４６及び制御部４７によって行われる。
【００１０】
第２の従来の技術として、画像記録装置について本出願前に頒布された刊行物を引用して説明する（例えば、特許文献２参照。）。
【００１１】
画像記録装置は、図６に示されるように、ファクシミリ機能と複写機能を兼備する。装置本体５１の前面には、操作パネル５２が取り付けられ、使用者は、操作パネル５２の各種キーを操作して、複写や送信操作を行う。装置本体５１には、記録済用紙排出トレイ５３、原稿供給トレイ５４、原稿排出トレイ５５及び用紙手差しトレイ５６が配設される。また、装置本体５１の底部には、カセットユニット５７が取付可能とされている。原稿及び用紙の搬送方向は、操作パネル５２を扱う使用者から見て、平面視で直交する方向であり、各トレイ５３，５４，５５は側方向き（操作パネル５２の使用者から見れば右側）に配設されているので、操作パネル５２やその使用者と干渉しない。
【００１２】
記録済用紙排出トレイ５３は、原稿搬送カバー部５１ａの一部を兼ねており、原稿搬送カバー部５１ａの下方には、画像読取カバー部５１ｂが配置される。
【００１３】
なお、カセットユニット５７は、ユニット本体５７ｂと、これに対して抜差し自在に収納する用紙供給カセット５７ａとから構成される。
【００１４】
【特許文献１】特開平５−１９１５４６号公報
【特許文献２】特開平１０−１２６５６８号公報
【発明の開示】
【発明が解決しようとする課題】
【００１５】
前記第１の従来の技術では、原稿台、原稿スタッカ及び記録紙スタッカが、卓上ファクシミリ装置の上部に同装置の投影面積からはみ出さないように、しかも、同装置の前後方向に傾斜状態に重ね合わされて配置されている。
【００１６】
前記第２の従来の技術では、画像記録装置の装置本体の上部に、傾斜している記録済用紙排出トレイすなわち記録紙スタッカが設けられている。
【００１７】
しかし、前記両従来の技術は、前記各装置の奥行き（前後方向のサイズ）を小さくすることができるが、前記各装置の高さが高くなるという欠点を有する。
【００１８】
そこで、本発明は、前記両従来の技術の欠点を改良し、高さが低い、記録紙スタッカを有する画像記録装置を提供しようとするものである。
【課題を解決するための手段】
【００１９】
本発明は、前記課題を解決するため、次の手段を採用する。
【００２０】
１．上カバー２と記録紙スタッカ１は、別個の部材として構成され、前記上カバーの上面と前記記録紙スタッカの上面は、記録紙の搬送方向に隣接して略同一水平面に配設される記録紙スタッカを有する画像記録装置。
【００２１】
２．前記記録紙スタッカは原稿セット台３に取り付けられ、前記原稿セット台は前記画像記録装置の本体６に起立する位置まで回転可能に取り付けられる前記１記載の記録紙スタッカを有する画像記録装置。
【００２２】
３．前記記録紙スタッカの上面が前記上カバーの上面に交差する方向まで起立することができるように、前記記録紙スタッカは前記原稿セット台に回転可能に取り付けられる前記２記載の記録紙スタッカを有する画像記録装置。
【００２３】
４．前記上カバーにおける前記記録紙スタッカに隣接する側に取っ手２ａが設けられ、前記取っ手に対応して前記記録紙スタッカにおける前記上カバーに隣接する側に凹部１ｂが設けられる前記１記載の記録紙スタッカを有する画像記録装置。
【００２４】
５．前記記録紙スタッカの内側に斜面部１ｃが形成され、原稿が原稿自動給紙部内に挿入されるとき、前記斜面部が前記原稿をガイドする前記１記載の記録紙スタッカを有する画像記録装置。
【００２５】
６．前記記録紙スタッカが原稿セット台の上に配設され、前記記録紙スタッカの少なくとも一部は透明である前記１記載の記録紙スタッカを有する画像記録装置。
【発明の効果】
【００２６】
明細書の説明から明らかなように、本発明は、次の効果を奏する。
【００２７】
１．上カバーの上面と記録紙スタッカの上面は、記録紙の搬送方向に隣接して略同一水平面に配設されるので、高さが低く、しかも、幅（記録紙の搬送方向の長さ）が狭い画像記録装置を提供することができる。
【００２８】
２．記録紙スタッカは、原稿セット台に取り付けられるので、詰まった原稿を除去する作業や点検作業に支障を及ぼさない。
【００２９】
３．記録紙スタッカの上面が上カバーの上面に交差する方向まで起立することができるように、記録紙スタッカは原稿セット台に回転可能に取り付けられる。したがって、記録紙スタッカを起立すると、記録紙が上カバーから突出する程度を抑制することができる。
【００３０】
４．上カバーにおける記録紙スタッカに隣接する側に取っ手が設けられ、取っ手に対応して記録紙スタッカにおける上カバーに隣接する側に凹部が設けられる。したがって、作業者の手指は、取っ手を簡易に把握して上カバーを開閉することができる。
【００３１】
５．記録紙スタッカの内側に斜面部が形成されるので、原稿はスムーズにガイドされて原稿自動給紙部内に挿入される。また、ガイド部材の節減を図ることができる。
【００３２】
６．記録紙スタッカが原稿セット台の上に配設され、記録紙スタッカの少なくとも一部が透明であるので、原稿セット台の上の原稿の有無を容易に識別することができる。
【発明を実施するための最良の形態】
【００３３】
本発明の一実施例の記録紙スタッカを有する画像記録装置について説明する。
【実施例１】
【００３４】
本発明の実施例１について図１〜図４を参照して説明する。
【００３５】
図１は、記録紙スタッカが搭載されている画像記録装置の斜視図である。図２は、記録紙スタッカの拡大斜視図である。図３は、点検作業時や異常処理時等に原稿セット台が開放されている状態の斜視図である。図４（Ａ）は、原稿自動給紙部の上カバーと記録紙スタッカの位置関係を示す断面図であり、図４（Ｂ）は、図４（Ａ）における円内の拡大断面図である。
【００３６】
画像記録装置の本体６の上部には、中央付近に記録紙スタッカ１と原稿自動給紙部（図４参照）の上カバー２が隣接して配設され、右側には、原稿セット台３が配設され、左側には、プリンタ４が配設されている。本体６の前面右側には、操作パネル５が取り付けられる。上カバー２の上面と記録紙スタッカ１の上面は、略同一水平面に配設される。
【００３７】
原稿セット台３は、図１と図３に示されるように、画像記録装置の本体６に支点（図示せず）を中心として略９０°回転することができるように取り付けられている。原稿が通路に詰まった場合等に、原稿セット台３を支点を中心として図３の位置まで回転すると、記録紙スタッカ１も原稿セット台３と共に回転する。したがって、記録紙スタッカ１は、詰まった原稿を除去する作業等に支障を及ぼさない。
【００３８】
さて、プリンタ４から排出された記録紙は、上カバー２上を搬送されて、記録紙の先端は、記録紙スタッカ１上に位置する。
【００３９】
原稿セット台３を見ることができるように、記録紙スタッカ１の全部又は一部を透明にすると、原稿セット台３上の原稿の有無を容易に確認することができる。
【００４０】
記録紙スタッカ１は、原稿セット台３に対して一対の支軸（支点）１ａ（図２参照）を中心として略９０°回転し、起立することができる。すなわち、図１において、記録紙スタッカ１は、上カバー２に対して略直角な姿勢に位置することができる。したがって、記録紙が上カバー２から突出する程度が、抑制される。
【００４１】
記録紙スタッカ１に隣接する側の上カバー２の中央上部には、図１に示されるように、取っ手２ａが設けられる。また、上カバー２に隣接する側の記録紙スタッカ１の中央上部には、凹部１ｂが設けられる。上カバー２を開く場合には、作業者は、手指を凹部１ｂから挿入して取っ手２ａを押し上げると、上カバー２は、支軸（支点）２ｂ（図４（Ａ）参照）を中心として開く。
【００４２】
原稿自動給紙部について図４（Ａ），（Ｂ）を参照して説明する。原稿は、原稿セット台３から記録紙スタッカ１の内側に形成されている斜面部１ｃを経て原稿自動給紙部内に挿入され、一対の搬入ローラ７によって二対の読取部ローラ８，９まで搬送されて読み取られる。この後、原稿は、読取部ローラ９の右方に配設されている排出ローラ（図示せず）によって原稿スタッカ１０上に排出される。
【図面の簡単な説明】
【００４３】
【図１】本発明の実施例１の記録紙スタッカを有する画像記録装置の正面側から見た斜視図である。
【図２】記録紙スタッカの拡大斜視図である。
【図３】実施例１における原稿セット台と記録紙スタッカが起立した状態の要部の斜視図である。
【図４】実施例１における原稿自動給紙部とその付近の断面図であり、（Ａ）は全体図、（Ｂ）は（Ａ）における円内の拡大図を、それぞれ示す。
【図５】第１の従来技術の卓上ファクシミリ装置の断面図である。
【図６】第２の従来技術の画像記録装置の斜視図である。
【符号の説明】
【００４４】
１  記録紙スタッカ
１ａ  支軸（支点）
１ｂ  凹部
１ｃ  斜面部
２  上カバー
２ａ  取っ手
２ｂ  支軸（支点）
３  原稿セット台
４  プリンタ
５  操作パネル
６  本体
７  搬入ローラ
８  読取部ローラ
９  読取部ローラ
１０  原稿スタッカ
【図１】
2008172654.tif 000003
【図２】
2008172654.tif 000004
【図３】
2008172654.tif 000005
【図４】
2008172654.tif 000006
【図５】
2008172654.tif 000007
【図６】
2008172654.tif 000008